(57)【特許請求の範囲】
【請求項１】
無線機（１）と、
前記無線機から離れた場所に配置されたアンテナ側装置（２）と、
前記無線機と前記アンテナ側装置とを接続し、前記アンテナ側装置に電源を供給する伝送線路（３）とを備えた無線通信システム（１００）であって、
前記無線機は、
前記アンテナ側装置から電波として送信する送信信号を、前記伝送線路を用いて電源電圧に重畳させて前記アンテナ側装置に送信し、
前記アンテナ側装置を制御する制御信号を、前記送信信号を前記アンテナ側装置に送信していないときに、前記伝送線路を用いて電源電圧に重畳させて前記アンテナ側装置に送信し、
前記アンテナ側装置は、
温度検出回路（２２０）と、送信ゲインが可変である送信用増幅器（２１２）とを備え、
受信した電波を示す受信信号を、前記伝送線路により前記無線機に送信し、かつ、前記送信信号および前記制御信号を前記無線機から受信していないときに、前記アンテナ側装置の状態を通知するフィードバック信号を、前記伝送線路を用いて前記無線機に送信し、
前記フィードバック信号は、前記温度検出回路が検出した温度を示す信号であり、
前記制御信号は、前記フィードバック信号に基づいて定まる信号であって、前記送信用増幅器のゲインを指示する信号を含んでいることを特徴とする無線通信システム。
【請求項２】
無線機（１）と、
前記無線機から離れた場所に配置されたアンテナ側装置（２）と、
前記無線機と前記アンテナ側装置とを接続し、前記アンテナ側装置に電源を供給する伝送線路（３）とを備えた無線通信システム（１００）であって、
前記無線機は、
前記アンテナ側装置から電波として送信する送信信号を、前記伝送線路を用いて電源電圧に重畳させて前記アンテナ側装置に送信し、
前記アンテナ側装置を制御する制御信号を、前記送信信号を前記アンテナ側装置に送信していないときに、前記伝送線路を用いて電源電圧に重畳させて前記アンテナ側装置に送信し、
前記無線機は、キャリアセンスを逐次行い、通信チャネルがビジー状態からアイドル状態へ移行した後のＩＦＳ時間またはその後のバックオフ時間に前記制御信号を送信することを特徴とする無線通信システム。
【請求項３】
請求項２において、
前記アンテナ側装置は、受信した電波を示す受信信号を、前記伝送線路により前記無線機に送信し、かつ、前記送信信号および前記制御信号を前記無線機から受信していないときに、前記アンテナ側装置の状態を通知するフィードバック信号を、前記伝送線路を用いて前記無線機に送信し、
前記制御信号は前記フィードバック信号に基づいて定まる信号であることを特徴とする無線通信システム。
【請求項４】
請求項３において、
前記アンテナ側装置は、温度検出回路（２２０）と、送信ゲインが可変である送信用増幅器（２１２）とを備え、
前記フィードバック信号は、前記温度検出回路が検出した温度を示す信号であり、
前記制御信号は、前記送信用増幅器のゲインを指示する信号を含んでいることを特徴とする無線通信システム。
【請求項５】
請求項１において、
前記無線機は、前記アンテナ側装置を送信モードに切り替えることを指示する送信モード信号を含んでいる制御信号を前記アンテナ側装置に送信した後、前記アンテナ側装置の送信モードへの切り替え所要時間に基づいて定まる送信開始タイミングで、前記アンテナ側装置へ前記送信信号の送信を開始することを特徴とする無線通信システム。
【請求項６】
請求項１〜５のいずれか１項に記載の無線通信システムに用いられる無線機。
【請求項７】
請求項１、３、４のいずれか１項に記載の無線通信システムに用いられるアンテナ側装置。
【発明の詳細な説明】
【技術分野】
【０００１】
本発明は、無線機とアンテナ側装置とを１本の伝送線路で接続した無線通信システム、および、この無線通信システムに含まれる無線機、アンテナ側装置に関する。
【背景技術】
【０００２】
特許文献１には、無線機（バーストモデム）と、送受信時に増幅等を行うアンテナ側装置（屋外装置）とが離れた位置にある無線通信システムが開示されている。これら無線機とアンテナ側装置は１本の同軸ケーブルで接続されており、この同軸ケーブルにより、無線機から送信信号がアンテナ側装置に送られ、また、アンテナ側装置から受信信号が無線機に送られる。
【０００３】
加えて、アンテナ側装置に信号検出回路を設け、送信信号のレベルがしきい値より上であれば送信用増幅器をアンテナと接続し、送信信号のレベルがしきい値以下であれば受信用増幅器をアンテナと接続する。この構成により、信号の送受信に用いる１本の同軸ケーブルのみで、送受信時の増幅器切り替えも行うことができる。
【先行技術文献】
【特許文献】
【０００４】
【特許文献１】特開２００３−２４４０１８号公報
【発明の概要】
【発明が解決しようとする課題】
【０００５】
特許文献１のように、送信信号のレベルを用いて増幅器の切り替えを行う構成では、送信信号のレベルが高くなってから、所望の増幅ができるまでにある程度の時間が必要となる。増幅器を切り替える切り替えスイッチの切り替えや、送信用増幅器の立ち上がりに時間を要するからである。そのため、送信信号の波形の先頭箇所が欠けたり、なまったりするなどの波形劣化が生じる。波形劣化度合いによっては送信信号を受信する受信側で復調できない問題も生じてしまう。
【０００６】
本発明は、この事情に基づいて成されたものであり、その目的とするところは、送信信号に与える影響を抑制しつつ、アンテナ側装置を制御することができる無線通信システム、無線機、アンテナ側装置を提供することにある。
【課題を解決するための手段】
【０００７】
その目的を達成するための無線通信システムに係る第１の発明は、無線機（１）と、無線機から離れた場所に配置されたアンテナ側装置（２）と、無線機とアンテナ側装置とを接続し、アンテナ側装置に電源を供給する伝送線路（３）とを備えた無線通信システム（１００）であって、無線機は、アンテナ側装置から電波として送信する送信信号を、伝送線路を用いて電源電圧に重畳させてアンテナ側装置に送信し、アンテナ側装置を制御する制御信号を、送信信号をアンテナ側装置に送信していないときに、伝送線路を用いて電源電圧に重畳させてアンテナ側装置に送信し、アンテナ側装置は、温度検出回路（２２０）と、送信ゲインが可変である送信用増幅器（２１２）とを備え、受信した電波を示す受信信号を、伝送線路により無線機に送信し、かつ、送信信号および制御信号を無線機から受信していないときに、アンテナ側装置の状態を通知するフィードバック信号を、伝送線路を用いて無線機に送信し、フィードバック信号は、温度検出回路が検出した温度を示す信号であり、制御信号は、フィードバック信号に基づいて定まる信号であって、送信用増幅器のゲインを指示する信号を含んでいることを特徴とする。
上記目的を達成するための無線通信システムに係る第２の発明は、無線機（１）と、無線機から離れた場所に配置されたアンテナ側装置（２）と、無線機とアンテナ側装置とを接続し、アンテナ側装置に電源を供給する伝送線路（３）とを備えた無線通信システム（１００）であって、無線機は、アンテナ側装置から電波として送信する送信信号を、伝送線路を用いて電源電圧に重畳させてアンテナ側装置に送信し、アンテナ側装置を制御する制御信号を、送信信号をアンテナ側装置に送信していないときに、伝送線路を用いて電源電圧に重畳させてアンテナ側装置に送信し、無線機は、キャリアセンスを逐次行い、通信チャネルがビジー状態からアイドル状態へ移行した後のＩＦＳ時間またはその後のバックオフ時間に制御信号を送信することを特徴とする。
【０００８】
本発明によれば、無線機は、アンテナ側装置を送信信号とは別の制御信号で制御する。そして、この制御信号を伝送線路を用いて電源電圧に重畳させてアンテナ側制御装置に送信するのは、送信信号をアンテナ側装置に送信していないときである。よって、送信信号に影響を与えずにアンテナ側装置を制御することができる。
【０００９】
また、上記目的を達成するための無線機、アンテナ側装置の発明は、上記無線通信システムに用いられる無線機、アンテナ側装置である。
【００１０】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１１】
【図１】実施形態の無線通信システム１００の構成図である。
【図２】制御信号フォーマットの一例である。
【図３】制御信号の信号パターンとアンプゲインとの関係の一例である。
【図４】アンテナケーブル３の電圧変動の一例である。
【発明を実施するための形態】
【００１２】
（全体構成）
図１に示す無線通信システム１００は、アンテナケーブル３を介して接続された無線機１とアンテナモジュール２（アンテナ側装置に相当）とを含む。
【００１３】
アンテナケーブル３は例えば同軸ケーブルである。アンテナケーブル３が請求項の伝送線路に相当する。この実施形態では、無線通信システム１００が車両に搭載される場合を例に挙げて以降の説明を行う。  
【００１４】
無線通信システム１００は、例えば車車間通信および路車間通信の両方、またはいずれか一方を行う。車車間通信および路車間通信の通信周波数には、例えば７００ＭＨｚ帯や５．９ＧＨｚ帯が用いられる。
【００１５】
アンテナモジュール２は、例えば車両ルーフの外面に設置される。一方、無線機１は、車両内部の所定位置に設置される。無線機１が設置される位置は、車両内部であれば特に限定はないが、電子部品を備えているので、日光等による温度変化が少ない環境が好ましい。
【００１６】
（無線機１の構成）
無線機１は、図１に示すように、メインマイコン１１、通信制御部１２、制御信号生成部１３、メモリ１４、送信部１５、受信部１６、電源重畳部１７、無線機側入出力端子１８および温度信号検出部１９を備える。
【００１７】
メインマイコン１１は送信データの生成、受信データの処理などを行う。通信制御部１２は、データの送受信に関する種々の制御を行う。例えば、通信制御部１２は、メインマイコン１１から送信データが送られてきた場合には、この送信データを送信部１５に送出する。
【００１８】
送信データについては、例えばメモリ１４に一時的に格納しておき、送信データを送信することができるタイミングとなったと判断したら、送信データを逐次送出する構成とする。送信するタイミングはキャリアセンスにより判断する。キャリアセンスに基づく送信タイミングの決定については後述する。
【００１９】
メモリ１４に一時的に格納する送信データは、通信制御部１２から送出した場合に消去する。通信制御部１２から送出される送信データは、送信部１５で変調される。変調されたデータを、送信信号ということにする。送信信号は電源重畳部１７へ送られる。
【００２０】
また、通信制御部１２は、アンテナモジュール２からアンテナケーブル３、無線機側入出力端子１８、電源重畳部１７、受信部１６を順に経て受信部１６で復調された受信データが送られてきた場合には、この受信データをメインマイコン１１に入力する。
【００２１】
なお、本実施形態では、通信制御部１２が、メインマイコン１１から送信データを得たり、受信データをメインマイコン１１に入力したりする構成を示したが、必ずしもこれに限らない。例えば、通信制御部１２が、データ通信用のインターフェースを介して他機器から送られてくる送信データを得たり、受信データをこのインターフェースを介して他機器に送ったりする構成としてもよい。
【００２２】
制御信号生成部１３は、アンテナモジュール２を制御するための制御信号を生成し、生成した制御信号を、送信信号が送信されていない時間に電源重畳部１７へ送る。この制御信号は、本実施形態では、アンテナモジュール２の通信モードを送信モードとするか受信モードとするかを指示する信号、アンテナモジュール２の送信用増幅器２１２のゲインを制御する信号を含んでいる。制御信号の具体例については図２、図３を用いて後述する。
【００２３】
電源重畳部１７は、電源電圧に、送信部１５から入力された送信信号や制御信号生成部１３から入力された制御信号を重畳する。送信信号あるいは制御信号が電源電圧に重畳された重畳信号は、無線機側入出力端子１８、アンテナケーブル３の信号線を順に経てアンテナモジュール２へ送られる。また、送信信号、制御信号がいずれも電源重畳部１７に入力されていないときは、電源重畳部１７は電源電圧を無線機側入出力端子１８に入力する。
【００２４】
さらに、アンテナモジュール２が受信モードとなっているときは、電源電圧に受信信号が重畳しており、アンテナケーブル３および無線機側入出力端子１８を経て受信信号が電源重畳部１７に入力される。受信モードでは、受信部１６が電源電圧に重畳している受信信号を復調して受信データを取り出す。
【００２５】
温度信号検出部１９は、受信データからフィードバック信号を検出する。このフィードバック信号は、アンテナモジュール２の温度を示す情報を含んでいる。温度信号検出部１９は、検出したフィードバック信号を通信制御部１２へ送る。
【００２６】
通信制御部１２はこのフィードバック信号に応じてアンテナモジュール２の送信用増幅器２１２のゲインを決定する。そして、決定したゲインを制御信号生成部１３へ通知する。制御信号生成部１３は、通信制御部１２からゲインが通知された場合には、そのゲインに対応する制御信号を生成する。
【００２７】
（アンテナモジュール２の構成）
アンテナモジュール２は、図１に示すように、アンテナ側入出力端子２０１、アンテナ２０２、制御信号検出部２０３、双方向アンプ２１０、温度検出回路２２０、Ａ／Ｄ変換器２２１、フィードバック信号生成部２２２、信号重畳部２２３を備える。また、双方向アンプ２１０は、送受信切替スイッチ２１１、送信用増幅器２１２、受信用増幅器２１３、送受信切替スイッチ２１４を備える。
【００２８】
アンテナモジュール２を構成する各電気部品は、アンテナケーブル３により供給される電源で作動する。また、図１に示すアンテナモジュール２の構成は、図示しない１つのケース内に収容されている。
【００２９】
アンテナモジュール２は、送信モード時は、双方向アンプ２１０の送受信切替スイッチ２１１、２１４がいずれも送信用増幅器２１２と接続されている。この状態で、無線機１からアンテナケーブル３を介して送信信号が伝送されてきた場合には、アンテナ側入出力端子２０１、送受信切替スイッチ２１１、送信用増幅器２１２、送受信切替スイッチ２１４、アンテナ２０２を順に経て、アンテナ２０２から送信信号の電波を放射する。
【００３０】
一方、受信モード時は、双方向アンプ２１０の送受信切替スイッチ２１１、２１４がいずれも受信用増幅器２１３と接続されている。受信モード時には、アンテナ２０２で電波を受信すると、アンテナ２０２、送受信切替スイッチ２１４、受信用増幅器２１３、送受信切替スイッチ２１１、アンテナ側入出力端子２０１、アンテナケーブル３の信号線を順に経て受信信号が無線機１へ送られる。
【００３１】
送信用増幅器２１２として、本実施形態では、可変利得型のパワーアンプを用い、受信用増幅器２１３として、ローノイズアンプを用いる。また、送信用増幅器２１２の実際の増幅率が温度により異なることから、送信用増幅器２１２のゲインを、温度に基づいて調整する。
【００３２】
ゲインの調整は、具体的には制御信号により行う。この制御信号は、無線機１の制御信号生成部１３が生成した信号であり、電源重畳部１７において電源電圧に重畳されて重畳信号とされる。この重畳信号は無線機側入出力端子１８、アンテナケーブル３を経由して、アンテナ側入出力端子２０１に入力される。
【００３３】
制御信号検出部２０３は、アンテナケーブル３を経由してアンテナ側入出力端子２０１に入力された信号から制御信号を検出する。
【００３４】
ここで制御信号について説明する。図２に一例を示すように、本実施形態の制御信号は、デジタル信号であって、スタートビットＤ０、モードフィールドＤ１、設定値フィールドＤ２からなる。スタートビットＤ０、モードフィールドＤ１はそれぞれ１ビット、設定値フィールドは２ビットである。
【００３５】
図３には制御信号の信号パターンと、その信号パターンが示すアンプゲインとの関係の一部を例示している。この図３に示す例は送信モードの際の信号パターンの例である。そのため、２ビット目はいずれも１である。
【００３６】
そして、設定値フィールドは、「００」、「０１」、「１０」、「１１」となっている。これらは左欄に示す温度に応じて定まっており、それぞれ、右欄に示すゲインとする指示を意味する。よって、この図３の例では、温度が高いほど高いゲインを指示することになる。
【００３７】
制御信号検出部２０３は、制御信号を検出することに加えて検出した制御信号に基づいて送受信切替スイッチ２１１、２１４、送信用増幅器２１２、受信用増幅器２１３の制御も行う。
【００３８】
具体的には、制御信号のモードフィールドＤ１が１であれば、送受信切替スイッチ２１１、２１４を送信用増幅器２１２と接続し、モードフィールドＤ１が０であれば、送受信切替スイッチ２１１、２１４を受信用増幅器２１３と接続する。また、設定値フィールドＤ２の信号に基づいて送信用増幅器２１２のゲインを制御する。なお、モードフィールドＤ１が１である場合、このモードフィールドＤ１の信号「１」が請求項の送信モード信号に相当する。
【００３９】
温度検出回路２２０は、たとえばサーミスタであり、このアンテナモジュール２の温度を検出し、その温度を示す温度信号をＡ／Ｄ変換器２２１へ入力する。Ａ／Ｄ変換器２２１は温度信号をデジタル信号に変換し、フィードバック信号生成部２２２へ入力する。
【００４０】
フィードバック信号生成部２２２は、入力された温度信号に基づいて、アンテナモジュール２の温度情報を含んでいるフィードバック信号を生成し、生成したフィードバック信号を信号重畳部２２３へ送る。
【００４１】
信号重畳部２２３は、フィードバック信号を、アンテナ側入出力端子２０１に入力することにより、アンテナケーブル３の信号線を流れている信号にフィードバック信号を重畳する。これにより、アンテナケーブル３、無線機１の電源重畳部１７、受信部１６を経由してフィードバック信号が温度信号検出部１９に検出される。
【００４２】
（制御信号、フィードバック信号の送信タイミング）
図４は、本実施形態におけるアンテナケーブル３の電圧変化を概念的に示す図である。図４の例では、時刻Ｔ０〜Ｔ１の間は制御信号が電源電圧に重畳している。本実施形態では、時刻Ｔ０は、キャリアセンスを行い、通信チャネルが使用されていないと判断してから、ＩＦＳ時間とそれに続くバックオフ時間が経過した時刻である。また、時刻Ｔ０の時点で、送信キューの状態から送信すべきデータがあると判断できている状態であるとする。
【００４３】
この図４の例では制御信号のモードフィールドＤ１は１であることから、制御信号をアンテナモジュール２の制御信号検出部２０３が検出することにより、アンテナモジュール２は送信モードに切り替わる。
【００４４】
制御信号が送信された直後の時刻Ｔ１から送信信号が送信されている。換言すれば、送信信号よりも前に、送信モードに切り替える信号を含む制御信号がアンテナモジュール２に送信されている。よって、送信信号それ自体により送信モードに切り替える従来技術よりも早期に送信モードに切り替えることができる。
【００４５】
無線機１は、送信信号を送信し終えた後の時刻Ｔ２からＴ３にかけて、今度は、受信モードに戻すことを指示する２ビットの制御信号をアンテナモジュール２に送信する。この制御信号を受信することにより、アンテナモジュール２は受信モードに戻る。よって、送信信号の送信期間以外は、無線通信システム１００は受信モードである。また、受信モード時は逐次キャリアセンスを行う。
【００４６】
なお、時刻Ｔ２からＴ３に、無線機１からアンテナモジュール２に送信される制御信号の終了は、たとえば、送信モード時に送受信される制御信号は２ビットであると予め決めておけばよい。あるいは、制御信号に含まれるモードフィールドＤ１が０であれば、制御信号はそのフィールドで終了であると決めておいてもよい。また、受信モードに切り替えるためのこの制御信号にも設定値フィールドを含ませて、ビット数を常に同じビット数にしておき、常に、同じビット数で制御信号の終了を判断してもよい。
【００４７】
この制御信号をアンテナモジュール２が受信した後、今度は、アンテナモジュール２からフィードバック信号を無線機１に送る。無線機１に送られたフィードバック信号は、次回の制御信号の生成に用いられる。
【００４８】
制御信号に含まれるモードフィールドＤ１が０であれば、その後に送信信号は送信されないと判断することができ、もちろん、制御信号に続いてさらに制御信号は送信されない。そこで、この制御信号を受信したことに基づき、アンテナモジュール２からフィードバック信号を無線機１に送る。これにより、フィードバック信号の送信タイミングが、制御信号や送信信号が送信されるタイミングと重複してしまうことを回避できる。
【００４９】
なお、送信信号の送信が終了した後、どの装置も電波を送信しないＩＦＳ時間とバックオフ時間とが存在し、バックオフ時間が経過した後に受信信号が受信されることになる。図４では、図示の都合上、制御信号およびフィードバック信号を送信している時間が、送信信号の送信終了から受信信号の受信開始までとなっている。しかし、実際には、送信信号やフィードバック信号を送信する時間は、ＩＦＳ時間に比べて短い。よって、必ずしも、制御信号の直後にフィードバック信号を送信する必要なく、ＩＦＳ時間内の予め設定された時間に送信することとしてもよい。
【００５０】
（実施形態の効果）
以上、説明した本実施形態では、無線機１は、アンテナモジュール２の送信用増幅器２１２のゲインや、送受信切替スイッチ２１１、２１４を制御するための制御信号を、送信信号が送信されていないときに、アンテナケーブル３を使って電源電圧に重畳させてアンテナモジュール２に送信する。よって、送信信号に影響を与えずに、アンテナモジュール２を制御することができる。
【００５１】
また、本実施形態では、アンテナモジュール２が温度検出回路２２０を備えており、温度検出回路２２０が検出したアンテナモジュール２の温度はフィードバック信号として無線機１に送信される。そして、制御信号には、アンテナモジュール２の温度に基づいて定まる送信用増幅器２１２のゲインを指示する信号が含まれている。したがって、本実施形態のアンテナモジュール２が車両ルーフという温度変化の激しい環境に設置されるとしても、温度による送信電力の変動を抑制できる。
【００５２】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５３】
（変形例１）
前述の実施形態では、制御信号を、キャリアセンスを行い、通信チャネルが使用されていないと判断してから、ＩＦＳ時間とそれに続くバックオフ時間が経過したときに送信する例を示した。
【００５４】
しかし、これに限らず、送信モードへの切り替えを指示する信号を含まない制御信号であれば、次のようにしてもよい。すなわち、ビジー状態からアイドル状態へと移行した後にキャリアセンスを行う。そして、通信チャネルが使用されていないと判断した場合、ＩＦＳ時間とそれに続くバックオフ時間の途中の時間に制御信号を送信してもよい。
【００５５】
上記送信モードへの切り替えを指示する信号を含まない制御信号の例としては、たとえば、前述の実施形態におけるスタートビットＤ０と設定値フィールドＤ２とからなる信号が考えられる。この場合、送信モードへの切り替えを指示する制御信号を、別途、送信信号の送信直前に送信すればよい。
【００５６】
（変形例２）
前述の実施形態では、送信モードに切り替えることを指示する信号を含む制御信号を送信した直後が請求項の送信開始タイミングであり、制御信号の送信直後に送信信号の送信を開始していた。しかし、これに限られず、アンテナモジュール２が送信モードに切り替わる切り替え作動に要する切り替え作動時間を考慮し、上記制御信号を送信してから、上記切替え作動時間後を、送信信号の送信開始タイミングとしてもよい。
【００５７】
（変形例３）
前述の実施形態では、車車間通信および路車間通信の送信時の規則に従い、キャリアセンスを行った後に送信信号を送信する例を示した。しかし、本発明の適用対象は、車車間通信および路車間通信に限定されない。すなわち、キャリアセンスを必須としない通信方式にも適用可能である。
【００５８】
キャリアセンスを必須としない通信方式に本発明を適用する場合には、無線機１は、自身が送信信号を送信しているか否かを判断し、送信信号を送信していない任意の時間に制御信号を送信してもよい。
【００５９】
（変形例４）
前述の実施形態では、フィードバック信号も、制御信号と同様、送信信号を送信しておらず、かつ、受信信号も受信していない期間に送信していたが、フィードバック信号を受信信号に重畳して無線機１に送信してもよい。無線機１は、アンテナモジュール２からの信号からＤＣ成分を抽出することで、パルス形状であるフィードバック信号を取得する。
【００６０】
（変形例５）
前述の実施形態では、送信用増幅器２１２のゲインを制御信号により調整していたが、それに代えて、あるいは、それに加えて、受信用増幅器２１３のゲインを制御信号により調整してもよい。
【００６１】
（変形例６）
前述の実施形態では、アンテナモジュール２にのみ送信用増幅器２１２および受信用増幅器２１３を備える構成を示した。しかし、これに限られず、アンテナモジュール２に送信用増幅器２１２および受信用増幅器２１３を備えるとともに、無線機１側にも増幅器を備える構成としてもよい。
【００６２】
（変形例７）
前述の実施形態は無線通信システム１００が車両に搭載される例であったが、無線通信システム１００は、車両に搭載される構成に限らず、ＰＣやＡＶ機器等の種々の機器に適用することが可能である。ＰＣやＡＶ機器等に無線通信システム１００を適用する場合には、無線機１をＰＣやＡＶ機器等に搭載し、アンテナモジュール２を無線機１から分離して設置する構成とすればよい。
【符号の説明】
【００６３】
１  無線機、２  アクティブアンテナ、３  アンテナケーブル（伝送線路）、１２  電源生成部、１７  電源重畳部、２２  送受信切替スイッチ、２３  送信用増幅器、２４
受信用増幅器、２５  送受信切替スイッチ、２６  アンテナ素子、２７  重畳電圧検出部、２８  送受信切替制御部、１００  無線通信システム
【図１】
0005850025.tif 000002
【図２】
0005850025.tif 000003
【図３】
0005850025.tif 000004
【図４】
0005850025.tif 000005